(57)【要約】【課題】浮き屋根式円形タンクを大型クレーンを使用することなく容易かつ短期間に解体することができる、浮き屋根式円形タンクの解体方法を提供する。【解決手段】側壁３に複数個の開口５を設け、浮き屋根を撤去し、撤去する側壁部分７の内側に補強材６を取り付け、タンク１の中心部と開口５との間の底板２上にレール８を設置し、補強材６の下部とレール８とを固定ヒンジ９を介して連結し、レール８に台車１０と側壁引倒し手段１１とを設置し、台車１０と補強材６とを側壁支持材１１により可動ヒンジ１６を介して連結し、側壁部分７を切断して、側壁３から切り離し、側壁引倒し手段１１により、台車１０をレール８に沿ってタンク１の中心方向に移動させて、側壁部分７を、補強材６の固定ヒンジ９を支点としてタンク１内に引き倒し、側壁部分７を切断し、切断した側壁片をタンク外に搬出して、撤去する工程を備えている。【選択図】図８
2019065665.tif 000002
【特許請求の範囲】
【請求項１】
底板上に構築された円筒形状の側壁と、前記側壁の頂部に設けられた、前記側壁内に沿って昇降可能な浮き屋根とを備えた、浮き屋根式円形タンクの解体方法において、下記工程、
（ａ）前記側壁に、前記側壁の周方向に間隔をあけて複数個の開口を設ける工程。
（ｂ）前記浮き屋根を下降させて、前記底板上に着座させる工程。
（ｃ）前記浮き屋根を切断し、切断した屋根片を前記開口からタンク外に搬出して、撤去する工程。
（ｄ）撤去する側壁部分の内側に補強材を取り付ける工程。
（ｅ）タンクの中心部と前記開口との間の前記底板上にレールを設置する工程。
（ｆ）前記補強材の下部と前記レールとを固定ヒンジを介して連結する工程。
（ｇ）前記レールに台車と側壁引倒し手段とを設置する工程。
（ｈ）前記台車と前記補強材とを側壁支持材により可動ヒンジを介して連結する工程。
（ｉ）撤去する前記側壁部分を切断して、前記側壁から切り離す切断工程。
（ｊ）前記側壁引倒し手段により、前記台車を前記レールに沿ってタンクの中心方向に移動させて、前記側壁部分を、前記補強材の下部を支点として、前記側壁支持材を介してタンク内に引き倒す工程。
（ｋ）前記側壁部分を切断し、切断した側壁片をタンク外に搬出して、撤去する工程。
を備え、上記（ｄ）工程から（ｋ）工程を繰り返し行うことを特徴とする、浮き屋根式円形タンクの解体方法。
【請求項２】
前記側壁引倒し手段は、引き側ワイヤジャッキング装置と繰出し側ワイヤジャッキング装置とからなり、前記引き側ワイヤジャッキング装置と前記繰出し側ワイヤジャッキング装置との間に通されたワイヤは、前記台車に固定されていることを特徴とする、請求項１に記載の、浮き屋根式円形タンクの解体方法。
【請求項３】
前記側壁引倒し手段は、油圧ジャッキ装置からなり、前記油圧ジャッキ装置のロッドは、前記台車に固定されていることを特徴とする、請求項１に記載の、浮き屋根式円形タンクの解体方法。
【請求項４】
前記（ｉ）工程は、前記側壁部分の下部コーナー部を円弧状に切断する操作を含むことを特徴とする、請求項１から３の何れか１つに記載の、浮き屋根式円形タンクの解体方法。
【請求項５】
前記（ｉ）工程は、前記側壁と前記底板との間に側壁転倒防止材を張り渡す操作を含むことを特徴とする、請求項１から４の何れか１つに記載の、浮き屋根式円形タンクの解体方法。
【請求項６】
前記開口は、８個であることを特徴とする、請求項１から４の何れか１つに記載の、浮き屋根式円形タンクの解体方法。
【発明の詳細な説明】
【技術分野】
【０００１】
この発明は、浮き屋根式円形タンクの解体方法、特に、浮き屋根式円形タンクを大型クレーンを使用することなく容易かつ短期間に解体することができる、浮き屋根式円形タンクの解体方法に関するものである。
【背景技術】
【０００２】
円形タンクの解体方法の一例が特許文献１に開示されている。以下、この円形タンクの解体方法を従来解体方法といい、図面を参照しながら説明する。
【０００３】
図１０は、従来解体方法を示す説明図であり、（ａ）は、タンク側壁に切断部を形成した状態を示す正面図、（ｂ）は、タンク旋回手段と切断部にローラを設置した状態を示す正面図、（ｃ）は、切断片を撤去した後、タンクを旋回させる状態を示す正面図、図１１は、図１０（ｂ）のＡ部拡大図である。
【０００４】
図１０において、２１は、円形状のタンク、２２は、タンク２１の側壁、２３は、側壁２２に形成した鋸歯状の切断部、２４は、タンク２１をタンク２１の中心軸を中心として旋回させる旋回手段である。
【０００５】
旋回手段２４は、タンク２１の側壁に巻き付けられたワイヤ２５と、ワイヤ２５を引っ張るジャッキ２６とからなっている。２７は、切断部２３に設置されたローラである。
【０００６】
従来解体方法によれば、以下のようにして、タンクが解体される。
【０００７】
先ず、図１０（ａ）に示すように、タンク２１の側壁２２に、側壁２２を溶断することによって、切断部２３を鋸歯状に形成する。
【０００８】
次いで、図１０（ｂ）に示すように、タンク２１の側壁２２にタンク２１をタンク２１の中心軸を中心として旋回させる旋回手段２４を設置する。さらに、タンク２１の上部をジャッキ等により若干持ち上げた後、図１１に示すように、切断部２３にローラ２７を設置する。
【０００９】
次いで、図１０（ｃ）に示すように、タンク２１の側壁２２の一部を切断し、切断片２２ａを撤去した後、旋回手段２４によりタンク２１をローラ２７を介して切断片２２ａ分だけ旋回させ、同様にして、側壁２２の次の一部を切断し、切断片２２ａを撤去する。この作業を繰り返し行うことによって、タンク２１を解体する。
【先行技術文献】
【特許文献】
【００１０】
【特許文献１】特開昭６２−１８５９６５号公報
【特許文献２】特開平１０−５９６９１号公報
【発明の概要】
【発明が解決しようとする課題】
【００１１】
上記従来解体方法によれば、大型クレーンを使用することなく円形タンクを解体することができるが、以下のような問題があった。
【００１２】
（１）ローラ２７の設置の際に、タンク２１自体を持ち上げる必要があり、ローラ２７の設置に時間と手間を要する。
（２）タンク２１の側壁２２の切断を低所で行うことができるが、側壁２２の切断とタンク２１の旋回とを交互に繰り返し行う必要があるので、タンク２１の解体に時間と手間を要する。
【００１３】
従って、この発明の目的は、浮き屋根式円形タンクを大型クレーンを使用することなく容易かつ短期間に解体することができる、浮き屋根式円形タンクの解体方法を提供することにある。
【課題を解決するための手段】
【００１４】
この発明は、上記目的を達成するためになされたものであって、下記を特徴とするものである。
【００１５】
請求項１記載の発明は、底板上に構築された円筒形状の側壁と、前記側壁の頂部に設けられた、前記側壁内に沿って昇降可能な浮き屋根とを備えた、浮き屋根式円形タンクの解体方法において、下記工程、
（ａ）前記側壁に、前記側壁の周方向に間隔をあけて複数個の開口を設ける工程。
（ｂ）前記浮き屋根を下降させて、前記底板上に着座させる工程。
（ｃ）前記浮き屋根を切断し、切断した屋根片を前記開口からタンク外に搬出して、撤去する工程。
（ｄ）撤去する側壁部分の内側に補強材を取り付ける工程。
（ｅ）タンクの中心部と前記開口との間の前記底板上にレールを設置する工程。
（ｆ）前記補強材の下部と前記レールとを固定ヒンジを介して連結する工程。
（ｇ）前記レールに台車と側壁引倒し手段とを設置する工程。
（ｈ）前記台車と前記補強材とを側壁支持材により可動ヒンジを介して連結する工程。
（ｉ）撤去する前記側壁部分を切断して、前記側壁から切り離す切断工程。
（ｊ）前記側壁引倒し手段により、前記台車を前記レールに沿ってタンクの中心方向に移動させて、前記側壁部分を、前記補強材の下部を支点として、前記側壁支持材を介してタンク内に引き倒す工程。
（ｋ）前記側壁部分を切断し、切断した側壁片をタンク外に搬出して、撤去する工程。
を備え、上記（ｄ）工程から（ｋ）工程を繰り返し行うことに特徴を有するものである。
【００１６】
請求項２記載の発明は、請求項１に記載の発明において、前記側壁引倒し手段は、引き側ワイヤジャッキング装置と繰出し側ワイヤジャッキング装置とからなり、前記引き側ワイヤジャッキング装置と前記繰出し側ワイヤジャッキング装置との間に通されたワイヤは、前記台車に固定されていることに特徴を有するものである。
【００１７】
請求項３に記載の発明は、請求項１に記載の発明において、前記側壁引倒し手段は、油圧ジャッキ装置からなり、前記油圧ジャッキ装置のロッドは、前記台車に固定されていることに特徴を有するものである。
【００１８】
請求項４に記載の発明は、請求項１から３の何れか１つに記載の発明において、前記（ｉ）工程は、前記側壁部分の下部コーナー部を円弧状に切断する操作を含むことに特徴を有するものである。
【００１９】
請求項５に記載の発明は、請求項１から４の何れか１つに記載の発明において、前記（ｉ）工程は、前記側壁と前記底板との間に側壁転倒防止材を張り渡す操作を含むことに特徴を有するものである。
【００２０】
請求項６に記載の発明は、請求項１から４の何れか１つに記載の発明において、前記開口は、８個であることに特徴を有するものである。
【発明の効果】
【００２１】
この発明によれば、浮き屋根式円形タンクを大型クレーンを使用することなく容易かつ短期間に解体することができる。
【００２２】
また、この発明によれば、撤去する側壁部分を切断して、側壁から切り離す際に、側壁部分の下部コーナー部を円弧状に切断することによって、底板との干渉部分がなくなるので、側壁部分を円滑に引き倒すことができる。
【００２３】
また、この発明によれば、撤去する側壁部分を切断して、側壁から切り離す際に、側壁と底板との間に側壁転倒防止材を張り渡すことによって、撤去する側壁部分の両側の側壁の転倒を防止することができる。
【図面の簡単な説明】
【００２４】
【図１】この発明の、浮き屋根式円形タンクの解体方法によって、側壁に開口を設け、浮き屋根を底板上に着座させる工程を示す図であり、（ａ）は、平面図であり、（ｂ）は、断面図である。
【図２】この発明の、浮き屋根式円形タンクの解体方法によって、浮き屋根をタンク外に搬出して、撤去する工程を示す図であり、（ａ）は、平面図であり、（ｂ）は、断面図である。
【図３】この発明の、浮き屋根式円形タンクの解体方法によって、撤去する側壁部分の内側に補強材を取り付け、タンクの中心部と開口との間の底板上にレールを設置し、補強材の下部とレールとを固定ヒンジを介して連結し、レールに台車と側壁引倒し手段とを設置し、台車と補強材とを側壁支持材により可動ヒンジを介して連結する工程を示す図であり、（ａ）は、平面図であり、（ｂ）は、断面図である。
【図４】この発明の、浮き屋根式円形タンクの解体方法によって、撤去する側壁部分を側壁から切り離す工程を示す図であり、（ａ）は、平面図であり、（ｂ）は、断面図である。
【図５】この発明の、浮き屋根式円形タンクの解体方法によって、側壁引倒し手段により、台車をレールに沿ってタンクの中心方向に移動させて、側壁部分を、補強材の下部を支点として、側壁支持材を介してタンク内に引き倒す工程を示す図であり、（ａ）は、平面図であり、（ｂ）は、断面図である。
【図６】この発明の、浮き屋根式円形タンクの解体方法によって、側壁部分を切断し、切断した側壁片をタンク外に搬出して、撤去し、この後、側壁部分をタンク内に引き倒す装置を盛り替える工程を示す図であり、（ａ）は、平面図であり、（ｂ）は、断面図である。
【図７】図４（ａ）のＡ−Ａ矢視図である。
【図８】図５（ｂ）の部分拡大図である。
【図９】図８のＢ部拡大図である。
【図１０】従来解体方法を示す説明図であり、（ａ）は、タンク側壁に切断部を形成した状態を示す正面図、（ｂ）は、タンク旋回手段と切断部にローラを設置した状態を示す正面図、（ｃ）は、切断片を撤去した後、タンクを旋回させる状態を示す正面図である。
【図１１】図１０（ｂ）のＡ部拡大図である。
【発明を実施するための形態】
【００２５】
この発明の、浮き屋根式円形タンクの解体方法の一実施態様を、図面を参照しながら説明する。
【００２６】
図１は、この発明の、浮き屋根式円形タンクの解体方法によって、側壁に開口を設け、浮き屋根を底板上に着座させる工程を示す図であり、（ａ）は、平面図、（ｂ）は、断面図であり、図２は、この発明の、浮き屋根式円形タンクの解体方法によって、浮き屋根をタンク外に搬出して、撤去する工程を示す図であり、（ａ）は、平面図、（ｂ）は、断面図であり、図３は、この発明の、浮き屋根式円形タンクの解体方法によって、撤去する側壁部分の内側に補強材を取り付け、タンクの中心部と開口との間の底板上にレールを設置し、補強材の下部とレールとを固定ヒンジを介して連結し、レールに台車と側壁引倒し手段とを設置し、台車と補強材とを側壁支持材を介して可動ヒンジを介して連結する工程を示す図であり、（ａ）は、平面図、（ｂ）は、断面図であり、図４は、この発明の、浮き屋根式円形タンクの解体方法によって、撤去する側壁部分を側壁から切り離す工程を示す図であり、（ａ）は、平面図、（ｂ）は、断面図であり、図５は、この発明の、浮き屋根式円形タンクの解体方法によって、側壁引倒し手段により、台車をレールに沿ってタンクの中心方向に移動させて、側壁部分を、補強材の下部を支点として、側壁支持材を介してタンク内に引き倒す工程を示す図であり、（ａ）は、平面図、（ｂ）は、断面図であり、図６は、この発明の、浮き屋根式円形タンクの解体方法によって、側壁部分をタンク外に搬出して、撤去し、この後、側壁部分をタンク内に引き倒す装置を盛り替える工程を示す図であり、（ａ）は、平面図、（ｂ）は、断面図である。
【００２７】
図７は、図４（ａ）のＡ−Ａ矢視図、図８は、図５（ｂ）の部分拡大図、図９は、図８のＢ部拡大図である。
【００２８】
図１から図９において、１は、タンクである。タンク１は、底板２上に構築された円筒形状の側壁３と、側壁３の頂部に設けられた、側壁３内に沿って昇降可能な浮き屋根４とを備えている。
【００２９】
５は、側壁３の下部に、側壁３の周方向に間隔をあけて複数個（この例では、８個）設けられた開口である。
【００３０】
６は、撤去する側壁部分７の内側に取り付けられた補強材である。補強材６は、側壁部分７をタンク１内に引き倒す際の側壁部分７の変形を防止する機能を有している（図７から図９参照）。
【００３１】
８は、タンク１の中心部と開口５との間の底板２上に設置されたレールであり、後述する台車１０が走行する。レール８の外側端は、開口５から若干、側壁３外に出ている。補強材６の下部とレール８とは、固定ヒンジ９を介して回動可能に連結されている（図９参照）。
【００３２】
１０は、レール８に沿って、後述する側壁引倒し手段１１により走行する台車である。台車１０は、例えば、レール８の両側をローラ（図示せず）により挟み込み、このローラを介してレール８に沿って走行する構造になっている。
【００３３】
１１は、側壁引倒し手段である。側壁引倒し手段１１は、レール８の内側端に設置された引き側ワイヤジャッキング装置１２と、レール８の外側端に設置された繰出し側ワイヤジャッキング装置１３とからなっている（図８参照）。ワイヤジャッキング装置としては、例えば、特許文献２に開示されたものを使用することができる。引き側ワイヤジャッキング装置１２と繰出し側ワイヤジャッキング装置１３との間に通されたワイヤ１４は、台車１０に固定されている（図８、図９参照）。
【００３４】
台車１０は、引き側ワイヤジャッキング装置１２と繰出し側ワイヤジャッキング装置１３とを同期して作動させてワイヤ１４を引っ張ることにより、レール８に沿って走行する。
【００３５】
なお、側壁引倒し手段１１としては、ワイヤジャッキング装置以外に油圧ジャッキ装置であっても良い。この場合、油圧ジャッキ装置のロッドは、台車１０に固定されている。
【００３６】
１５は、台車１０と補強材６とを可動ヒンジ１６を介して回動可能に連結する側壁支持材である（図８、図９参照）。
【００３７】
１７は、側壁３と底板２との間に張り渡された側壁転倒防止材である。側壁転倒防止材１７は、撤去する側壁部分７を引き倒す際に、側壁部分７の両側の側壁３の共倒れを防止する作用をする（図４から図６参照）。
【００３８】
１８は、開口５の手前に設置されたスロープであり、開口５と地面との段差をなくすものである。
【００３９】
以上のように構成されている、この発明の、浮き屋根式円形タンクの解体方法によれば、以下のようにして、浮き屋根式円形タンクを解体することができる。
【００４０】
先ず、図１（ａ）、（ｂ）に示すように、側壁３に、側壁３の周方向に間隔をあけて複数個（この例では、８個）の開口５を設ける。また、開口５と地面との段差をなくすために、開口５の手前にスロープ１８を設置する。
【００４１】
次に、図２（ａ）、（ｂ）に示すように、浮き屋根４を下降させて、底板２上に着座させる。そして、浮き屋根４を切断し、切断した屋根片（図示せず）を開口５からタンク１外に搬出して、撤去する。
【００４２】
次に、図３（ａ）、（ｂ）、図７に示すように、撤去する側壁部分７の内側に補強材６を取り付け、タンク１の中心部と開口５との間の底板２上にレール８を設置し、補強材６の下部とレール８とを固定ヒンジ９を介して回動可能に連結し、レール８に台車１０と側壁引倒し手段１１とを設置し、台車１０と補強材６とを側壁支持材１５により可動ヒンジ１６を介して回動可能に連結する。
【００４３】
次に、図４（ａ）、（ｂ）、図７に示すように、撤去する側壁部分７を切断して、側壁３から切り離す。この際、側壁部分７の下部コーナー部を円弧状に切断して、底板２との干渉部分をなくす。これによって、側壁部分７を円滑に引き倒すことができる（図９参照）。図９において、側壁部分７の切断部分を（Ｐ）で示す。
【００４４】
次に、図５（ａ）、（ｂ）に示すように、側壁引倒し手段１１により、台車１０をレール８に沿ってタンク１の中心方向に移動させて、側壁部分７を、補強材６の下部、すなわち、固定ヒンジ９を支点として、側壁支持材１５を介してタンク内に引き倒す。この際、側壁３と底板２との間に側壁転倒防止材１７が張り渡されているので、撤去する側壁部分７の両側の側壁３の共倒れを防止することができる。
【００４５】
次に、図６（ａ）、（ｂ）に示すように、タンク１内に引き倒された側壁部分７を切断し、切断した側壁片（図示せず）をタンク１外に搬出して、撤去する。
【００４６】
このようにして、最初の側壁部分７の撤去が完了したら、次の側壁部分７の撤去に備えて、タンク１内に引き倒す装置、すなわち、レール８、台車１０等を盛り替える。
【００４７】
以上のようにして、この発明によれば、浮き屋根式円形タンクを大型クレーンを使用することなく容易かつ短期間に解体することができる。
【００４８】
また、この発明によれば、撤去する側壁部分７を切断して、側壁３から切り離す際に、側壁部分７の下部コーナー部を円弧状に切断することによって、底板２との干渉部分がなくなるので、側壁部分７を円滑に引き倒すことができる。
【００４９】
また、この発明によれば、撤去する側壁部分７を切断して、側壁３から切り離す際に、側壁３と底板２との間に側壁転倒防止材１７を張り渡すことによって、撤去する側壁部分７の両側の側壁３の共倒れを防止することができる。
【符号の説明】
【００５０】
１：タンク
２：底板
３：側壁
４：浮き屋根
５：開口
６：補強材
７：側壁部分
８：レール
９：固定ヒンジ
１０：台車
１１：側壁引倒し手段
１２：引き側ワイヤジャッキング装置
１３：繰り出し側ワイヤジャッキング装置
１４：ワイヤ
１５：側壁支持材
１６：可動ヒンジ
１７：側壁転倒防止材
１８：スロープ
２１：タンク
２２：側壁
２３：切断部
２４：旋回手段
２５：ワイヤ
２６：ジャッキ
２７：ローラ
【図１】
2019065665.tif 000003
【図２】
2019065665.tif 000004
【図３】
2019065665.tif 000005
【図４】
2019065665.tif 000006
【図５】
2019065665.tif 000007
【図６】
2019065665.tif 000008
【図７】
2019065665.tif 000009
【図８】
2019065665.tif 000010
【図９】
2019065665.tif 000011
【図１０】
2019065665.tif 000012
【図１１】
2019065665.tif 000013